(57)【要約】【課題】外灯を一斉に点灯させるとともに、それぞれ個別に設定した消灯時間に自動的に消灯されるよう制御する。【解決手段】外灯点灯用の電源１１と外灯１２の間を接続する電源ケーブル１４に挿入されるものであって、電源ケーブル１４から外灯１２への電源供給を、リレースイッチ１５によってオンオフする電源リレー２５と、電源ケーブル１４を通じて電源供給が開始されたときに計時動作を開始し、リレースイッチ１５をオンさせるように制御するとともに、所定の設定時間を経過したとき、リレースイッチ１５をオフするように制御するタイマ部２２と、設定時間の入力を受け付けて設定時間を記憶し、タイマ部２２に設定時間を読み取らせる設定部１７を備えた。【選択図】図１
2007214065.tif 000002
【特許請求の範囲】
【請求項１】
外灯点灯用の電源と外灯の間を接続する電源ケーブルに挿入されるものであって、
前記電源ケーブルから前記外灯への電源供給を、リレースイッチによってオンオフする
電源リレーと、
前記電源ケーブルを通じて電源供給が開始されたときに計時動作を開始し、前記リレー
スイッチをオンさせるように制御するとともに、所定の設定時間を経過したとき、前記リ
レースイッチをオフするように制御するタイマ部と、
前記設定時間の入力を受け付けて前記設定時間を記憶し、前記タイマ部に設定時間を読
み取らせる設定部とを備えたことを特徴とする外灯節電管理装置。
【請求項２】
外灯点灯用の電源と外灯の間を接続する電源ケーブルに挿入されるものであって、
前記電源ケーブルから前記外灯への電源供給を、リレースイッチによってオンオフする
電源リレーと、
前記電源ケーブルを通じて電源供給が開始されたときに動作を開始し、前記リレースイ
ッチをオンさせるように制御するとともに、所定の設定時刻が到来したとき、前記リレー
スイッチをオフするように制御するタイマ部と、
前記設定時刻の入力を受け付けて前記設定時刻を記憶し、前記タイマ部に設定時刻を読
み取らせる設定部とを備えたことを特徴とする外灯節電管理装置。
【請求項３】
請求項１または２に記載の外灯節電管理装置において、
前記設定部は、リモートコントローラから無線伝送された信号に基づいて設定内容を更
新することを特徴とする外灯節電管理装置。
【請求項４】
請求項３に記載の外灯節電管理装置において、
前記設定部は、前記リモートコントローラから赤外線ビームまたは可視光ビームを、専
用の窓を通じて受信して、信号の入力を受け付けることを特徴とする外灯節電管理装置。
【請求項５】
請求項１または２に記載の外灯節電管理装置において、
漏電検出装置と、漏電の発生を検出したとき、その検出結果を通知する表示装置とを備
えたことを特徴とする外灯節電管理装置。
【請求項６】
請求項５に記載の外灯節電管理装置において、
前記電源供給により充電される蓄電器を備え、
前記表示装置は、漏電を検出後、前記電源供給が停止したときも、前記蓄電器により駆
動されて、前記検出結果を通知する動作を継続することを特徴とする外灯節電管理装置。
【請求項７】
請求項５に記載の外灯節電管理装置において、
前記表示部は、前記リモートコントローラに対して、前記漏電の検出結果を送信するこ
とを特徴とする外灯節電管理装置。
【請求項８】
請求項３乃至７のいずれかに記載の外灯節電管理装置において、
装置全体が透明樹脂によりモールドされていることを特徴とする外灯節電管理装置。
【発明の詳細な説明】
【技術分野】
【０００１】
本発明は、事業所の構内照明等に使用される外灯の点灯時間を制御して適切な節電を行
うための、外灯節電管理装置に関する。
【背景技術】
【０００２】
企業の事業所等では、通路の照明等のために、各所に外灯が設置されている。これらの
外灯は定刻になると点灯され、定刻になると消灯される。多数の外灯が設置されている場
合に、それらの点灯と消灯を確実に管理するには相当量の手数がかかる。そこで、太陽光
を検出して自動的に外灯を点滅させる各種のシステムが開発されている（特許文献１参照
）。
【特許文献１】特開２００２−１２０４２８号公報
【発明の開示】
【発明が解決しようとする課題】
【０００３】
ここで、従来の技術には、次のような解決すべき課題があった。
外灯の設置される目的は、通路の照明用、安全管理用、防犯用といったように、それぞ
れ異なる。これらを、手動にしても自動にしても、一斉に点滅させるのは合理的でない。
防犯用を除き、自動的に点灯した状態を維持しなければならないものばかりではない。し
かし、全ての外灯に個別に点滅タイミングを設定するのも煩わしい。本発明は以上の課題
を解決するためになされたもので、外灯を一斉に点灯させるとともに、それぞれ個別に設
定した消灯時間に自動的に消灯されるよう制御する、外灯節電管理装置を提供することを
目的とする。
【課題を解決するための手段】
【０００４】
本発明の各実施例においては、それぞれ次のような構成により上記の課題を解決する。
〈構成１〉  外灯点灯用の電源と外灯の間を接続する電源ケーブルに挿入されるもので
あって、上記電源ケーブルから上記外灯への電源供給を、リレースイッチによってオンオ
フする電源リレーと、上記電源ケーブルを通じて電源供給が開始されたときに計時動作を
開始し、上記リレースイッチをオンさせるように制御するとともに、所定の設定時間を経
過したとき、上記リレースイッチをオフするように制御するタイマ部と、上記設定時間の
入力を受け付けて上記設定時間を記憶し、上記タイマ部に設定時間を読み取らせる設定部
を備えたことを特徴とする外灯節電管理装置。
【０００５】
マスタースイッチをオンすると、全ての外灯に、電源ケーブルを通じて一斉に電源供給
がされる。このとき、各外灯のタイマ部が起動して、所定の設定時間を経過したときに、
それぞれ自動的に外灯を消灯する。従って、多くの外灯を一括制御できるとともに、各外
灯の設置場所に応じた消灯時刻制御ができる。なお、マスタースイッチは、管理者によっ
て操作されてもよいし、昼光センサを用いた既知の夜間照明自動点灯装置によるものでも
よい。
【０００６】
〈構成２〉  外灯点灯用の電源と外灯の間を接続する電源ケーブルに挿入されるもので
あって、上記電源ケーブルから上記外灯への電源供給を、リレースイッチによってオンオ
フする電源リレーと、上記電源ケーブルを通じて電源供給が開始されたときに動作を開始
し、上記リレースイッチをオンさせるように制御するとともに、所定の設定時刻が到来し
たとき、上記リレースイッチをオフするように制御するタイマ部と、上記設定時刻の入力
を受け付けて上記設定時刻を記憶し、上記タイマ部に設定時刻を読み取らせる設定部を備
えたことを特徴とする外灯節電管理装置。
【０００７】
各外灯に個別に、強制的に消灯する時刻を直接設定しておくこともできる。
【０００８】
〈構成３〉  構成１または２に記載の外灯節電管理装置において、上記設定部は、リモ
ートコントローラから無線伝送された信号に基づいて設定内容を更新することを特徴とす
る外灯節電管理装置。
【０００９】
リモートコントローラを使用することにより、設定部に記憶させる設定時間や設定時刻
を簡単に更新できる。また、複雑なネットワークや高度な通信機能を必要とせず、低コス
トが実現できる。
【００１０】
〈構成４〉  構成３に記載の外灯節電管理装置において、上記設定部は、上記リモート
コントローラから赤外線ビームまたは可視光ビームを、専用の窓を通じて受信して、信号
の入力を受け付けることを特徴とする外灯節電管理装置。
【００１１】
最も汎用されている赤外線ビームを専用の窓を通じて受信する。これにより、低コスト
でリモートコントローラによる制御が可能になる。
【００１２】
〈構成５〉  構成１または２に記載の外灯節電管理装置において、漏電検出装置と、漏
電の発生を検出したとき、その検出結果を通知する表示装置とを備えたことを特徴とする
外灯節電管理装置。
【００１３】
屋外設置の電気設備であり、漏電検出機能を備えることが望ましい。また、漏電を検出
したときは、その検出結果を管理者に通知する機能を備えることが望ましい。表示装置は
その機能を持つ。
【００１４】
〈構成６〉  構成５に記載の外灯節電管理装置において、上記電源供給により充電され
る蓄電器を備え、上記表示装置は、漏電を検出後、上記電源供給が停止したときも、上記
蓄電器により駆動されて、上記検出結果を通知する動作を継続することを特徴とする外灯
節電管理装置。
【００１５】
特別の通信機能等が無い場合は、管理者が漏電の検出結果を見るまで、その結果を保持
しておく。定期的な巡回等のタイミングでみることができるようにすればよい。従って、
ネットワーク等を接続しなくてもよい。
【００１６】
〈構成７〉  構成５に記載の外灯節電管理装置において、上記表示部は、上記リモート
コントローラに対して、上記漏電の検出結果を送信することを特徴とする外灯節電管理装
置。
【００１７】
リモートコントローラは、設定の変更のみならず、装置の状態や設定の確認にも使用さ
れる。従って、このリモートコントローラに対して、前記漏電の検出結果を送信すれば、
管理者に確実に早期に漏電発生の事実を通知できる。
【００１８】
〈構成８〉  構成３乃至７のいずれかに記載の外灯節電管理装置において、装置全体が
透明樹脂によりモールドされていることを特徴とする外灯節電管理装置。
【００１９】
装置の状態表示やリモートコントローラとの送受信を行うことと、装置自体は電柱やハ
ンドホールの内部に収納される。従って、高い水密性が要求される。また、電柱やハンド
ホールに設けられた透明窓から装置の状態を確認し、表示部を見ることができ、赤外線通
信も可能にすることが要求される。そこで、装置全体を透明樹脂でモールドした。
【発明を実施するための最良の形態】
【００２０】
本発明では、多数の外灯に対して一括して電源供給をする電源を用意する。電源ケーブ
ルを通じて対象となる全ての外灯に一斉に電力を供給して、同時に点灯させる。しかし、
後で説明するように、各外灯には、それぞれ外灯節電管理装置が接続されていて、その消
灯時間は個別に設定される。そして、自動的に設定された時間に消灯する。以下、本発明
の実施の形態を実施例ごとに詳細に説明する。
【実施例１】
【００２１】
図１は、実施例１の外灯節電管理装置のブロック図である。
図に示すように、この外灯節電管理装置１０は、外灯点灯用の電源１１と外灯１２の間
を接続する電源ケーブル１４に挿入される。そして、この外灯節電管理装置１０により、
電源ケーブル１４から外灯１２への電源供給をオンオフ制御する。外灯節電管理装置１０
には、通信部１６と設定部１７と設定時間表示部１８とタイマ部２２が設けられている。
通信部１６は、リモートコントローラ１３から無線伝送された信号を受信する機能を持つ
。この実施例では、家庭用の電気器具を制御するために多用されている赤外線によるリモ
ートコントローラ１３を使用する。
【００２２】
リモートコントローラ１３は、外灯１２の消灯時刻を制御する信号を発信する。リモー
トコントローラ１３は、例えば、電源１１から電源供給が開始された時刻から計時した所
定の設定時間を通知する。また、外灯節電管理装置１０が時計を内蔵しているような場合
に、例えば、夜１１時とか朝５時といった具体的な設定時刻を通知する。設定部１７は記
憶機能を有し、これらの設定を記憶する。設定時間表示部１８は、記憶された設定内容を
表示する液晶ディスプレイ等からなる。設定部１７は、その設定内容をタイマ部２２に読
み取らせる。また、リモートコントローラ１３は、任意のタイミングで、設定部１７の設
定内容を更新することができる。
【００２３】
外灯節電管理装置１０には、さらに、絶縁変圧器２１と第１の発光ダイオード２３と電
源リレー２５と第２の発光ダイオード２６が設けられている。絶縁変圧器２１は、電源１
１から供給される電圧をタイマ部２２の動作電圧に変換する機能を持つ。また、電源１１
と外灯節電管理装置１０の内部回路間を直流的に切り離す機能を持つ。タイマ部２２は、
電源ケーブル１４と絶縁変圧器２１を通じて電源供給が開始されたときに計時動作を開始
する。タイマ部２２は、タイマスイッチ２４をオンオフ制御する。タイマスイッチ２４は
、電源リレー２５の動作電流をオンオフ制御する。
【００２４】
タイマスイッチ２４は初期状態ではオンである。即ち、電源１１の図示しないメインス
イッチがオンされると、絶縁変圧器２１を通じて電力が供給され、電源リレー２５を励磁
する。これにより、リレースイッチ１５がオンして、電源１１から外灯１２に電力が供給
される。即ち、タイマ部２２は、起動時にリレースイッチ１５をオンさせるように制御す
る。なお、電源１１からの電源供給が開始されると、第１の発光ダイオード２３の両端子
に絶縁変圧器２１の出力電圧が加わるから第１の発光ダイオード２３は点灯する。また、
第２の発光ダイオード２６の両端子に電源リレー２５の端子電圧が加わるから、第２の発
光ダイオード２６も点灯する。従って、第１の発光ダイオード２３と第２の発光ダイオー
ド２６が点灯していれば、リレースイッチ１５を制御する回路が正常に動作していると確
認できる。
【００２５】
例えば、設定部１７に、外灯をオフするまでの設定時間が記憶されているとする。タイ
マ部２２は、電源１１から電力供給を開始されてから計時を開始して、設定時間を経過す
るまで、計時を継続する。設定時間が経過すると、タイマスイッチ２４をオフするように
制御する。タイマスイッチ２４がオフすると、電源リレー２５の励磁が停止する。従って
、リレースイッチ１５がオフし、外灯１２は消灯される。電源電圧の供給が継続している
と、第１の発光ダイオード２３は点灯したままの状態が続く。一方、第２の発光ダイオー
ド２６は消灯する。これにより、リレースイッチ１５がオフ状態であることが確認できる
。
【００２６】
設定部１７の設定内容はリモートコントローラ１３の制御により自由に更新できる。ま
た、消灯時刻を直接指定することもできる。従って、多数の外灯１２に接続された各外灯
節電管理装置の設定部１７の設定内容を個別に最適化できる。例えば、防犯用の外灯は朝
６時に消灯させる。特定の通路の照明用の外灯は大部分の従業員が帰宅した夜１０時には
消灯する。人通りの少ない場所の外灯は早めに消灯し、人通りの多い場所の外灯は遅くま
で点灯させる。なお、漏電検出部３１、検出結果表示部３２、蓄電器３３については実施
例２で説明する。
【００２７】
図２はタイマ部とリレースイッチの動作タイミングの説明図である。
図のタイミングチャートで、横軸は時間を示す。時刻ｔ１に電源１１のメインスイッチ
が投入されたとする。このとき、タイマ部２２の計時動作が開始される。同時に、リレー
スイッチ１５がオンする。例えば、設定時間Ｔが経過すると、時刻ｔ２になり、タイマ部
２２はリレースイッチ１５をオフさせる。これは経過時間が設定されている場合である。
消灯時刻が直接設定されているときは、図示しない内蔵時計が設定時刻ｔ２になるとそれ
を検出して、タイマ部２２はリレースイッチ１５をオフさせる。この動作が、電源ケーブ
ル１４に接続された多数の全ての外灯節電管理装置１０について実行される。従って、各
外灯節電管理装置１０の設定内容に応じて、対応する外灯１２が自動的にオフする。
【００２８】
図３は、外灯と外灯節電管理装置の設置状態の説明図である。
図のように、外灯１２は支持ポール４１に支持されている。この支持ポール４１に設け
た蓋から外灯節電管理装置１０を挿入して、支持ポール４１の内部に収めるとよい。また
あるいは、外灯節電管理装置１０をハンドホール４２に収納する。通常、外灯１２の根元
付近には配線用のハンドホール４２が設けられている。ハンドホール４２の空きスペース
に、外灯節電管理装置１０を収納する。なお、上記の制御で、電源１１のメインスイッチ
をオンするのは、管理者である。しかしながら、例えば、光センサを利用して、周囲が暗
くなったときに自動的にメインスイッチを作動させてもよい。これは、既知の手段を利用
できる。また、１台の外灯節電管理装置で複数台の外灯を制御しても構わない。
【００２９】
図４は、外灯節電管理装置を示す斜視図である。
例えば、図１に示した外灯節電管理装置１０は、図のような外観に組み立てることがで
きる。試作をしたところ、高さ約２００ｍｍ、縦横は約５０ｍｍ四方の角柱状となった。
もちろん、円柱状のものでも構わない。電源ケーブル１４は背面にコネクタ接続する。設
定時間表示部１８、検出結果表示部３２、第１の発光ダイオード２３、第２の発光ダイオ
ード２６を、前面の外部から見やすい場所に配置する。窓４５は、リモートコントローラ
１３（図１）を操作し易い場所に配置する。全体は、例えば、透明樹脂４４によりモール
ドする。樹脂としては、低分子量ポリエチレン等が適する。これにより、リモートコント
ローラ１３から、赤外線ビームまたは可視光ビームを受信して、設定内容の更新ができる
。勿論、光を通す必要のある部分だけ透明にしても構わない。
【実施例２】
【００３０】
図５は、リモートコントローラへの表示動作説明図である。
この図の説明をする前に、図１の漏電検出部３１の機能を説明する。漏電検出部３１は
、外灯１２や外灯節電管理装置１０の内部での漏電検出をする機能を持つ。漏電が検出さ
れると、通常は警告ランプを点灯する。検出結果表示部３２は例えば警告ランプである。
なお、漏電が検出されると、通常は、自動的にタイマスイッチ２４やリレースイッチ１５
をオフして、電源１１から各回路を切り離す。従って、検出結果表示部３２の動作に必要
な電源が確保できなくなる。そこで、蓄電器３３を設けて、通常動作時に電源１１により
充電されるようにしておく。そして、漏電検出部３１が動作して電源供給が停止したとき
も、蓄電器３３により駆動されて、所定時間検出結果表示部３２を動作させ、検出結果を
通知する。勿論、例えば、太陽電池等を取り付けて、蓄電器３３を充電するようにしても
構わない。
【００３１】
ここで、図５において、リモートコントローラ１３は、送信機５１と操作盤５２と受信
機５３とディスプレイ５４を備えている。外灯節電管理装置１０の設定時間表示部１８と
検出結果表示部３２とは、窓４５を通じてリモートコントローラ１３に対して、表示デー
タを送信する。リモートコントローラ１３は既に説明した設定内容の更新に、送信機５１
と操作盤５２を使用する。また、設定時間表示部１８と検出結果表示部３２の送信した信
号は、受信機５３で受信する。そして、その内容をディスプレイ５４により表示する。こ
のリモートコントローラ１３は、既知のディスプレイ付きリモートコントローラと同様の
構成でよい。これにより、リモートコントローラ１３側に、設定内容と漏電検出結果が表
示される。従って、管理者は、ハンドホールをのぞき込んだりすることなく、漏電検出結
果を確認することができる。検出結果表示部３２が漏電電流を表示するようなものであれ
ば、より正確に現象を確認して対処することができる。
【図面の簡単な説明】
【００３２】
【図１】実施例１の外灯節電管理装置のブロック図。
【図２】タイマ部とリレースイッチの動作タイミングの説明図。
【図３】外灯と外灯節電管理装置の設置状態の説明図。
【図４】外灯節電管理装置を示す斜視図。
【図５】リモートコントローラへの表示動作説明図。
【符号の説明】
【００３３】
１０  外灯節電管理装置、１１  電源、１２  外灯、１３  リモートコントローラ、１４
電源ケーブル、１５  リレースイッチ、１６  通信部、１７  設定部、１８  設定時間
表示部、２１  絶縁変圧器、２２  タイマ部、２３  第１の発光ダイオード、２４  タイ
マスイッチ、２５  電源リレー、２６  第２の発光ダイオード、３１  漏電検出部、３２
検出結果表示部、３３  蓄電器。
【図１】
2007214065.tif 000003
【図２】
2007214065.tif 000004
【図３】
2007214065.tif 000005
【図４】
2007214065.tif 000006
【図５】
2007214065.tif 000007